(57)【要約】【課題】常時振動または変化している計量器の指示値の所定時間における代表値を正確に求めることができる計量器の読取装置を提供する。【解決手段】計量器を撮像するカメラ２と、撮像された画像のサンプリングに基づいて所定時間における計量器の振動振の指示値より出現頻度の最も多い指示値、あるいは移動平均、標準偏差値または最大分布値を統計的に算出し、算出された統計的なデータを所定時間内の指示値とする画像処理装置３とを備える。【選択図】　　　　図２
2004012165.tif 000002
【特許請求の範囲】
【請求項１】
計量器を撮像する撮像手段と、
前記撮像手段により撮像された画像のサンプリングに基づいて、所定時間における計量器の指示値より出現頻度の最も多い指示値を所定時間内の指示値とする処理手段と
を備える計量器の読取装置。
【請求項２】
計量器を撮像する撮像手段と、
前記撮像手段により撮像された画像のサンプリングに基づいて、所定時間における計量器の指示値より移動平均または標準偏差値または最大分布値を統計的に算出し、算出された統計的なデータを所定時間内の指示値とする処理手段と
を備える計量器の読取装置。
【請求項３】
請求項１又は請求項２に記載の計量器の読取装置において、
前記計量器の指示値は、アナログ計器の振動針の指示値であることを特徴とする計量器の読取装置。
【発明の詳細な説明】
【０００１】
【発明の属する技術分野】
本発明は、現場に設置されてエネルギーデータの計測等を行う計量器において、常時振動している指示値の読み取りを、カメラを使って自動的に行う計量器の読取装置に関するものである。
【０００２】
【従来の技術】
従来、例えば計量器の振動針の読み取りは、所定時間内の指示値の振れ幅を読み取るものであり、例えば特開平７−１９８１４号公報に示されるように、以下の６項目に示すものがある。
【０００３】
（１）計量器の指針検出を所定時間繰り返し、その間の最大値と最小値とを求めることにより振れ幅を読み取る。
（２）指針領域を所定時間累積し、累積画像に対して指針を切り出すことにより振れ幅を読み取る。
（３）切り出された指針の位置を検出し所定時間内の各検出値の論理和を取ることにより振れ幅を読み取る。
（４）所定時間における計量器の画像と基準画像との差分の累積潰算を行うことにより振れ幅を読み取る。
（５）所定時間に順次入力される計量器の画像相互間の差分をとり、その差分の累積演算を行うことにより振れ幅を読み取る。
（６）所定時間に順次入力される計量器の画像相互間の差分の累積演算を行う前に計量器の画像を線画像化して所定時間累積することにより振れ幅を読み取る。
【０００４】
【発明が解決しようする課題】
従来例においては、上述したようにして所定時間内の指示値の振れ幅を読み取ることで、計量器の振動針の読み取りを行っていたが、常時振動または変化している計量器の指示値の所定時間における代表値を高い信頼性で求めることができないという問題があった。
【０００５】
本発明は上述した点に鑑みてなされたもので、常時振動または変化している計量器の指示値の所定時間における代表値を高い信頼性で求めることができる計量器の読取装置を提供することにある。
【０００６】
【課題を解決するための手段】
上記目的を達成するために、本発明に係る計量器の読取装置は、計量器を撮像する撮像手段と、前記撮像手段により撮像された画像のサンプリングに基づいて、所定時間における計量器の指示値より出現頻度の最も多い指示値を所定時間内の指示値とする処理手段とを備えるものである。この構成によれば、常時振動または変化している計量器の指示値の所定時間における代表値を正確に求めることができる。
【０００７】
また、他の発明に係る計量器の読取装置は、計量器を撮像する撮像手段と、前記撮像手段により撮像された画像のサンプリングに基づいて所定時間における計量器の指示値より移動平均、標準偏差値または最大分布値を統計的に算出し、算出された統計的なデータを所定時間内の指示値とする処理手段とを備えるものである。この構成によれば、常時振動または変化している計量器の指示値の所定時間における代表値を正確に求めることができる。
【０００８】
なお、本発明の計量器の読取装置において、前記計量器の指示値は、アナログ計器の振動針の指示値であることを特徴とすることができる。この構成によれば、既存のアナログ計器における所定の指示値を容易に電子データとして且つ非接触で得ることができる。
【０００９】
【発明の実施の形態】
実施の形態１．
図１は、本発明の実施の形態１に係る計量器の読取装置を示すシステム構成図である。図１に示すように、本発明の実施の形態１に係る計量器の読取装置としては、アナログ計量器１Ａ、デジタル計量器１Ｂ、カウンタ１Ｃ、棒グラフ１Ｄ等の各種計量器を撮像する撮像手段となるカメラ２と、撮像した画像を数値化して常時振動または変化している計量器の指示値（例えば振動針の指示値）の所定時間における代表値を求める処理手段となる画像処理装置３とにより構成される。
【００１０】
次に、上記構成に係る動作について主に画像処理装置３の動作を示す図２に示すフローチャートを参照して説明する。まず、画像処理装置３は、カメラ２により撮像された計量器の画像をサンプリングし（ステップＳ１）、サンプリングされたデータの数値化を行い（ステップＳ２）、数値化されたデータを内蔵する記憶部（図示せず）に保存する（ステップＳ３）。そして、保存されたデータに基づいて時間帯１（所定時間）における計量器の出現頻度の最も多い指示値をその時間帯１の測定値とする（ステップＳ４）。同様にして、時間帯２における計量器の出現頻度の最も多い指示値をその時間帯２の測定値とする（ステップＳ５）。
【００１１】
従って、上記実施の形態１によれば、カメラ２により撮像された画像のサンプリングに基づいて、所定時間における計量器の指示値よりその出現頻度の最も多い指示値を所定時間内の指示値として採用することで、常時振動または変化している計量器の指示値の所定時間における代表値を正確に求めることができ、目視による確認と同等な指示値が得られる。
【００１２】
実施の形態２．
次に、図３は、本発明の実施の形態２に係る計量器の読取装置を説明するもので、実施の形態２に係る画像処理装置３の動作を示すフローチャートである。この実施の形態２に係る構成としては、図１に示す実施の形態１と同様な構成を備える。
【００１３】
以下、図３に示すフローチャートを参照して実施の形態２に係る動作について説明する。まず、画像処理装置３は、カメラ２により撮像された計量器の画像をサンプリングし（ステップＳ１１）、サンプリングされたデータの数値化を行い（ステップＳ１２）、数値化されたデータを内蔵する記憶部（図示せず）に保存する（ステップＳ１３）。そして、保存されたデータに基づいて時間帯１（所定時間）における計量器の指示値（例えば振動針の指示値）の移動平均あるいは標準偏差あるいは最大分布値を統計的に算出し、そのデータをその時間帯１の測定値とする（ステップＳ１４）。同様にして、時間帯２における計量器の指示値の移動平均あるいは標準偏差あるいは最大分布値を統計的に算出し、そのデータをその時間帯２の測定値とする（ステップＳ１５）。
【００１４】
従って、上記実施の形態２によれば、カメラ２により撮像された画像のサンプリングに基づいて所定時間における計量器の指示値の移動平均あるいは標準偏差あるいは最大分布値を統計的に算出し、そのデータを所定時間内の指示値として採用することで、常時振動または変化している計量器の指示値の所定時間における代表値を正確に求めることができ、測定計量器・測定項目に最適な方式で指示値が得られる。
【００１５】
実施の形態３．
次に、図４は、本発明の実施の形態３に係る計量器の読取装置を示すシステム構成図である。図４に示す実施の形態３に係る計量器の読取装置は、図１に示す実施の形態１に対し、画像処理装置３で決定した測定値をホストコンピュータ４に送信する構成としている。この実施の形態３では、例えばホストコンピュータ４によりカメラ３の撮像を制御してより正確な測定値を求めるようにすることができる。
【００１６】
【発明の効果】
以上のように、本発明によれば、撮像手段により撮像された画像に基づいて所定時間における計量器の指示値より出現頻度の最も多い指示値、あるいは移動平均、標準偏差値または最大分布値を統計的に算出し算出された統計データを所定時間内の指示値として採用することで、常時振動または変化している計量器の指示値の所定時間における代表値を正確に求めることができる。
【図面の簡単な説明】
【図１】本発明の実施の形態１及び２に係る計量器の読取装置を示すシステム構成図である。
【図２】本発明の実施の形態１に係る画像処理装置３の動作を示すフローチャートである。
【図３】本発明の実施の形態２に係る画像処理装置３の動作を示すフローチャートである。
【図４】本発明の実施の形態３に係る計量器の読取装置を示すシステム構成図である。
【符号の説明】
１Ａ　アナログ計量器、１Ｂ　デジタル計量器、１Ｃ　カウンタ、１Ｄ　棒グラフ、２　カメラ（撮像手段）、３　画像処理装置（処理手段）。
【図１】
2004012165.tif 000003
【図２】
2004012165.tif 000004
【図３】
2004012165.tif 000005
【図４】
2004012165.tif 000006